(57)【要約】【課題】品質の異なる複数のデータを受信する場合に、データを安定して出力しながら画像表示等の切り換えの発生を抑制するとともに、品質の低い画像を表示する場合でもその品質の低さを目立たせない受信装置、表示装置及び選択方法等を提供する。【解決手段】システム制御部２５が、地上デジタル放送の映像の画面上における表示解像度を変更するように制御したときに、その表示解像度に基づいて、受信された１セグメント放送または１２セグメント放送のいずれか一方を選択し、この選択された映像・音声データをスイッチ部１６が出力する。【選択図】図２
2007221695.tif 000002
【特許請求の範囲】
【請求項１】
画面表示される画像の画像データ成分を夫々含む品質の異なる複数のデータを受信する受信装置であって、
前記画像が表示される画面上における領域の大きさを変更する変更手段と、
前記変更された領域の大きさに基づいて、前記受信された複数のデータの中から一のデータを選択する選択手段と、
前記選択されたデータを出力する出力手段と、
を備えることを特徴とする受信装置。
【請求項２】
請求項１に記載の表示装置において、
前記複数のデータは、放送局から放送された同一内容のデータであることを特徴とする受信装置。
【請求項３】
請求項１または請求項２に記載の受信装置において、
前記複数のデータに含まれる画像データ成分は、夫々異なる画像解像度を有し、
前記選択手段は、前記領域が小さくなるに従って、前記画像解像度がより小さいデータを選択することを特徴とする受信装置。
【請求項４】
請求項３に記載の受信装置において、
前記画像解像度がより小さいデータは、前記画像解像度がより大きいデータよりもデータ誤りに対する耐性が高いデータであることを特徴とする受信装置。
【請求項５】
請求項１に記載の受信装置と、
前記受信装置の前記出力手段により出力されたデータの前記画像データ成分に基づいて前記画像を画面に表示する表示手段と、を備え、
前記表示手段は、前記受信装置の前記変更手段により変更された領域の大きさで前記画像を表示することを特徴とする表示装置。
【請求項６】
画面表示される画像の画像データ成分を夫々含む品質の異なる複数のデータを受信する受信装置における選択方法であって、
前記画像が表示される画面上における領域の大きさを変更する工程と、
前記変更された領域の大きさに基づいて、前記受信された複数のデータの中から一のデータを選択する工程と、
前記選択されたデータを出力する工程と、
を備えることを特徴とする選択方法。
【請求項７】
画面表示される画像の画像データ成分を夫々含む品質の異なる複数のデータを受信する受信装置に含まれるコンピュータを、
前記画像が表示される画面上における領域の大きさを変更する変更手段、
前記変更された領域の大きさに基づいて、前記受信された複数のデータの中から一のデータを選択する選択手段、
前記選択されたデータを出力する出力手段、
として機能させることを特徴とする選択処理プログラム。
【請求項８】
請求項７に記載の選択処理プログラムが、コンピュータに読み取り可能に記録されていることを特徴とする記録媒体。
【発明の詳細な説明】
【技術分野】
【０００１】
本願は、例えば、地上デジタルテレビジョン放送等における品質の異なる複数のデータを受信する受信装置、表示装置及び選択方法等の技術分野に関する。
【背景技術】
【０００２】
従来の地上テレビジョン放送（地上アナログテレビジョン放送）に代わる次世代放送として、地上波のＵＨＦ（Ultra High Frequency）帯を利用した地上デジタル放送が開始されている。この放送は、従来の地上テレビジョン放送に対し、高画質、高音質、データ放送の実現等を特徴とするものであり、現在、その受信装置の普及が進んでいる。
【０００３】
わが国においては、地上デジタルテレビジョン放送に、ＩＳＤＢ−Ｔ（Integrated Services Digital Broadcasting-Terrestrial）規格が採用されている。この規格は、変調方式にＯＦＤＭ（Orthogonal Frequency Division Multiplexing）方式を採用したもので、一つのキャリア（搬送波）を多数のサブキャリア（副搬送波）に分割し、デジタル変調信号の直交性を利用して隣接するサブキャリアとの間で信号が干渉しないように周波数軸上で一部重ねて変調信号を生成することにより、周波数の利用効率向上させて広帯域伝送を実現するものである。なお、各サブキャリアの変調には夫々異なる変調方式を用いることが可能である。
【０００４】
ＩＳＤＢ−Ｔにおいては、この多数（例えば、5617本）のサブキャリアを１３のセグメントに分け、そのうちの１２のセグメントを固定受信向けの放送に、残りの１セグメントを１セグメント（ワンセグ）放送と呼ばれる移動体向けの放送に割り当てている。固定受信向けの放送においては、高画質を実現するために、例えば、変調方式を６４ＱＡＭ（Quadrature Amplitude Modulation）、畳み込みの符号化率を７／８、動画圧縮方式をＭＰＥＧ２（Moving Picture Experts Group 2）としてデータ転送速度を上げているが、受信状態が頻繁に変化するような移動可能な環境に受信装置が置かれている場合には、マルチパスフェージング等の影響を受けやすく、安定した受信を行うことは難しい。一方、１セグメント放送においては、例えば、変調方式をＱＰＳＫ（Quadrature Phase Shift Keying）、畳み込みの符号化率を２／３、動画圧縮をＨ．２６４とすることにより、低画質ではあるが、データ誤りに対する耐性が高くなるようにして、かかる移動環境における安定した放送の受信を可能としている。
【０００５】
ところで、自動車等の移動体に搭載されるような受信装置は、従来から、固定受信向け放送を受信可能となっているものも多いが、１セグメント放送の開始に向けて、この１セグメント放送への対応が進みつつある。
【０００６】
こうした両放送に対応した受信装置としては、例えば、特許文献１に開示されている。この受信装置は、受信しているＯＤＦＭ信号を固定受信向け放送の信号と１セグメント放送の信号とに分離し、ＯＤＦＭ信号の受信品質が良い場合には固定受信向け放送の信号を表示装置等に対して出力し、その受信品質が良くない場合には１セグメント放送の信号を出力するようになっている。その結果、高画質と広いサービスエリアを確保することができるとしている。
【特許文献１】特開２００５−２２３５４９号公報
【発明の開示】
【発明が解決しようとする課題】
【０００７】
しかしながら、例えば、自動車が走行している場合等には受信品質が変化しやすく、これにより、高画質の映像と低画質の映像との表示の切り替えが頻繁に発生することとなって、視聴者としては違和感（例えば、解像度の相違、フレーム速度の相違等に）を感じることとなる。更に、この切り替えの発生に伴い、映像が断続的に表示される映像切れや、音切れも発生してしまう。
【０００８】
本願は、以上の点に鑑みてなされたものであり、その課題の一例は、品質の異なる複数のデータを受信する場合に、データを安定して出力しながら画像表示等の切り換えの発生を抑制するとともに、品質の低い画像を表示する場合でもその品質の低さを目立たせない受信装置、表示装置及び選択方法等を提供することにある。
【課題を解決するための手段】
【０００９】
上記課題を解決するために、請求項１に記載の発明は、画面表示される画像の画像データ成分を夫々含む品質の異なる複数のデータを受信する受信装置であって、前記画像が表示される画面上における領域の大きさを変更する変更手段と、前記変更された領域の大きさに基づいて、前記受信された複数のデータの中から一のデータを選択する選択手段と、
前記選択されたデータを出力する出力手段と、を備えることを特徴とする。
【００１０】
請求項５に記載の発明は、請求項１に記載の受信装置と、前記受信装置の前記出力手段により出力されたデータの前記画像データ成分に基づいて前記画像を画面に表示する表示手段と、を備え、前記表示手段は、前記受信装置の前記変更手段により変更された領域の大きさで前記画像を表示することを特徴とする。
【００１１】
請求項６に記載の発明は、画面表示される画像の画像データ成分を夫々含む品質の異なる複数のデータを受信する受信装置における選択方法であって、前記画像が表示される画面上における領域の大きさを変更する工程と、前記変更された領域の大きさに基づいて、前記受信された複数のデータの中から一のデータを選択する工程と、前記選択されたデータを出力する工程と、を備えることを特徴とする。
【００１２】
請求項７に記載の発明は、画面表示される画像の画像データ成分を夫々含む品質の異なる複数のデータを受信する受信装置に含まれるコンピュータを、前記画像が表示される画面上における領域の大きさを変更する変更手段、前記変更された領域の大きさに基づいて、前記受信された複数のデータの中から一のデータを選択する選択手段、前記選択されたデータを出力する出力手段、として機能させることを特徴とする。
【００１３】
請求項８に記載の発明は、請求項７に記載の選択処理プログラムが、コンピュータに読み取り可能に記録されていることを特徴とする。
【発明を実施するための最良の形態】
【００１４】
以下、図面を参照して本願の最良の実施形態について詳細に説明する。なお、以下に説明する実施の形態は、自動車の経路誘導を行うとともに、地上デジタル放送の番組映像を画面に表示するナビゲーション装置に対して本願を適用した場合の実施形態である。
［１．ナビゲーション装置の構成］
先ず、本実施形態に係るナビゲーション装置Ｓの構成について、図１を用いて説明する。
【００１５】
図１は、本実施形態に係るナビゲーション装置Ｓの概要構成の一例を示す図である。
【００１６】
図１に示すように、ナビゲーション装置Ｓは、チューナー部１１と、復調・復号部１２と、分離部１３と、１セグメントデコーダ部１４と、１２セグメントデコーダ部１５と、出力手段の一例としてのスイッチ部１６と、映像合成部１７と、映像処理部１８と、ディスプレイ１９と、音声処理部２０と、スピーカ２１と、センサ部２２と、地図データ記憶部２３と、操作部２４と、変更手段及び選択手段の一例としてのシステム制御部２５と、を備えている。また、映像合成部１７、映像処理部１８、ディスプレイ１９は、本願に係る表示手段の一例を構成する。
【００１７】
ナビゲーション装置Ｓは、自車位置周辺の地図データ及び目的地までの経路誘導情報等を画面に表示するとともに、図示せぬ放送局から放送されたＩＳＤＢ−Ｔ規格の放送信号を受信して、移動体受信向けの１セグメント放送または固定受信向けの１２セグメント放送のいずれか一方の映像を画面に表示するようになっている。
【００１８】
１セグメント放送においては、その映像の画質は低いが（例えば、動画圧縮方式Ｈ．２６４、フレーム速度１５、解像度（画像解像度及び品質の一例）３２０×２４０等）、データ誤りに対する耐性（品質の一例）が高くなっている（例えば、変調方式ＱＰＳＫ、符号化率２／３等）。一方、１２セグメント放送においては、その映像の画質は高いが（例えば、動画圧縮方式はＭＰＥＧ２Ｖｉｄｅｏ、フレーム速度３０、解像度１４４０×１０８０等）、データ誤りに対する耐性は低い（変調方式を６４ＱＡＭ、符号化率を７／８等）。なお、同一チャンネルにおける１セグメント放送と１２セグメント放送の番組内容は基本的には同一であるが、異なる内容であっても良い。
【００１９】
チューナー部１１は、アンテナＡＴにより受信された放送信号のうち、システム制御部２５の制御により指定されたチャンネルの放送信号（映像成分及び音声成分を含む（データの一例））に同調し、この放送信号に対して帯域制限、増幅、周波数変換等を施してＩＦ信号を生成し、この信号を復調・復号部１２に出力するようになっている。
【００２０】
復調・復号部１２は、チューナー部１１から供給されたＩＦ信号に対して、Ａ／Ｄ変換、直交復調処理、高速フーリエ変換、キャリア復調、ビタビ復号、トランスポートストリーム再生、リードソロモン復号等を施してトランスポートストリームを生成し、このストリームを分離部１３に出力するようになっている。また、復調・復号部１２は、ＯＦＤＭ信号の受信品質を示す検出信号をシステム制御部２５に出力するようになっている。この検出信号は、例えば、受信信号のＳ／Ｎ比や、ビタビ復号、リードソロモン復号時におけるビットエラーレート（ＢＥＲ）等に基づいて生成される。
【００２１】
分離部１３は、復調・復号部１２から供給されたトランスポートストリームをＴＳパケット毎に１セグメント放送用と１２セグメント放送用のストリームに分離し、１セグメント放送用のトランスポートストリームは１セグメントデコーダ部１４に、１２セグメント放送用のトランスポートストリームは１２セグメントデコーダ部１５に、夫々出力するようになっている。
【００２２】
１セグメントデコーダ部１４は、分離部１３から供給された１セグメント放送用のトランスポートストリームを映像ストリームと音声ストリームとに分離し、夫々のストリームを所定規格（例えば、映像はＨ．２６４、音声はＭＰＥＧ４−ＡＡＣ（Advanced Audio Coding）等）に基づいて映像データ（画像データの一例）及び音声データ（以下、単に映像・音声データと称する）に変換し、これらの信号をスイッチ部１６に出力するようになっている。
【００２３】
１２セグメントデコーダ部１５は、分離部１３から供給された１２セグメント放送用のトランスポートストリームを映像ストリームと音声ストリームとに分離し、夫々のストリームを所定規格（例えば、映像はＭＰＥＧ２−Ｖｉｄｅｏ、音声はＭＰＥＧ２−ＡＡＣ等）に基づいて映像・音声データに変換し、これらの信号をスイッチ部１６に出力するようになっている。
【００２４】
スイッチ部１６は、システム制御部２５による制御に基づき、１セグメントデコーダ部１４から供給された映像・音声データ、または、１２セグメントデコーダ部１５から供給された映像・音声データのうちのいずれか一方の映像・音声データを出力するようになっている（映像データは映像合成部１７に、音声データは音声処理部２０に出力する）。
【００２５】
映像合成部１７は、システム制御部２５による制御の下、スイッチ部１６から供給された映像データと、システム制御部２５から供給された映像データと、を合成して映像処理部１８に出力し、または、これらの映像データのいずれか一方のみを映像処理部１８に出力するようになっている。なお、この詳細については後述する。
【００２６】
映像処理部１８は、映像合成部１７から供給された映像データに対して、Ｄ／Ａ変換、ガンマ補正、明度・コントラスト調整等を施して映像信号を生成し、この信号をディスプレイ１９に出力するようになっている。
【００２７】
ディスプレイ１９は、画像処理部１７から供給された映像信号に基づいてディスプレイパネルを駆動することにより、映像を画面に表示するようになっている。
【００２８】
音声処理部２０は、スイッチ部１６から供給された音声データに対して、Ｄ／Ａ変換、増幅等を施して音声信号を生成し、この信号をスピーカ２１に出力するようになっている。
【００２９】
スピーカ２１は、音声処理部２０から供給された音声信号に基づいてコーンを振動駆動することにより、可聴周波数の音波として音声を出力するようになっている。
【００３０】
センサ部２２は、例えば、ジャイロセンサ、加速度センサ、車速センサ、ＧＰＳ（Global Positioning System）受信機等を備え、車両の方位、加速度、車速、現在位置等を検出し、これらの検出された情報を示す検出信号をシステム制御部２５に出力するようになっている。なお、センサ部２２は、これらのセンサ全てを備えていても良いし、その一部のみを備えても良いし、更には、他のセンサを備えていても良い。
【００３１】
地図データ記憶部２３は、例えば、ハードディスクドライブ等の記憶装置等により構成され、経路誘導を行うための地図データを記憶している。この地図データは、ナビゲーション動作に必要な道路形状データの他、関連する施設データ、名称データ等の各種関連データが道路形状データに対応付けられて記憶されている。
【００３２】
操作部２４は、各種ボタン等を備え、ユーザ（運転手、同乗者等）による操作内容を指示信号としてシステム制御部２５に出力するようになっている。この指示信号に基づき、システム制御部２５により電源のＯＮ／ＯＦＦやチャンネル切り換え、目的地までの経路設定等の制御が行われる。
【００３３】
システム制御部２５は、ＣＰＵ（Central Processing Unit）、ＲＡＭ（Random Access Memory）、ＲＯＭ（Read Only Memory）等を備え、ＣＰＵが、ＲＯＭ等に記憶された各種制御プログラム（選択処理プログラムを含む）を読み出し実行することにより、ナビゲーション装置Ｓ全体を統括制御するようになっている。
【００３４】
例えば、システム制御部２５は、経路誘導を行う際にセンサ部２２から供給された検出信号中に含まれる現在位置等と、地図データ記憶部２３から読み出した地図データに基づいてマップマッチング等の補正処理を行うとともに、車両の現在位置を含む周辺地域を示す地図及び経路誘導情報を表示する映像データを生成し、この映像データを映像合成部１７に出力するようになっている。
【００３５】
また、システム制御部２５は、操作部２４から供給された指示信号に基づいて、スイッチ部１６から供給された映像データ（以下、テレビ映像データとも称する）と、システム制御部２５から供給された映像データ（以下、ナビゲーション映像データとも称する）の、いずれを映像処理部１８に出力するか、あるいは、両映像データを合成して映像処理部１８に出力するかを示す制御信号を映像合成部１７に出力する。ここで、変更手段としてのシステム制御部２５は、映像処理部１８に出力される映像データに基づく映像の画面上における表示解像度（領域の大きさの一例）、合成する場合の表示方法及び表示位置等を決定し、これらの情報を上述の制御信号に設定することにより、映像がディスプレイ１９により表示されるときに画面上における表示解像度が変更されるように制御する。
【００３６】
このようなシステム制御部２５の制御により、ユーザは、自分が見たい映像を画面に映し出すことができる。例えば、テレビ映像だけを見たい場合は、所定の操作をすることにより、システム制御部２５からテレビ映像データのみの出力を示す情報及び表示解像度（通常はディスプレイ１９の最大の画面解像度）等が設定された制御信号が映像合成部１７に供給され、これにより映像合成部１７は、テレビ映像データのみを出力することにより、地上デジタル放送（１セグメント放送、または１２セグメント放送）の映像が指定された解像度でディスプレイ１９に表示される。また、ナビゲーション映像だけを見たい場合についても同様である。
【００３７】
また、テレビ映像、ナビゲーション映像の両方を見たい場合には、所定の操作をすることにより、システム制御部２５において、両映像の画面上における表示方法、表示解像度、表示位置等が決定され、これらの情報が設定された制御信号が映像合成部１７に供給される。映像合成部１７においては、この制御信号に設定された情報に従って両映像データを合成し、この合成されたデータを出力する。これにより、テレビ映像とナビゲーション映像が夫々指定された解像度で合成されてディスプレイ１９に表示される。なお、表示方法としては、例えば、両映像を縦または横に並べて表示する２画面表示や、ナビゲーション映像を全画面（最大の画面解像度）で表示して、画面の一部分にテレビ映像を表示するＰｉｎＰ（Picture in Picture）表示等がある。
【００３８】
選択手段としてのシステム制御部２５は、上記変更制御により変更されたテレビ映像の表示解像度に基づいて、１セグメントデコーダ部１４から出力された１セグメント放送用の映像・音声データ、または、１２セグメントデコーダ部１５から出力された１２セグメント放送用の映像・音声データのいずれか一方を選択し、この選択された信号がスイッチ部１６から出力されるように制御する。なお、選択手段としての具体的な処理内容は後述する。
［２．ナビゲーション装置の動作］
次に、ナビゲーション装置Ｓの動作について、図２を用いて説明する。
【００３９】
放送信号はアンテナＡＴにより受信されると、チューナー部１１において特定のチャンネルに同調されてＩＦ信号が出力される。そして、このＩＦ信号は復調・復号部１２においてＯＦＤＭ復調、トランスポートストリームへの復号が行われて、分離部１３において１セグメント放送用と１２セグメント放送用のトランスポートストリームに分離される。次いで、これらのトランスポートストリームは、夫々１セグメントデコーダ部１４、１２セグメントデコーダ部１５において映像・音声データに変換されて、スイッチ部１６に供給される。
【００４０】
そして、システム制御部２５の制御により選択された方の映像・音声データがスイッチ部１６から出力されて、出力された映像データは、映像合成部１７においてシステム制御部２５から出力された映像データと合成等された後、映像処理部１８による映像処理を経てディスプレイ１９によりその映像が表示される。このとき、映像合成部１７においては、システム制御部２５により設定された表示方法、表示解像度、表示位置等に従い映像データの合成が行われる。
【００４１】
一方、スイッチ部１６から出力された音声データも音声処理部２０による音声処理を経てスピーカ２１によりその音声が出力される。
【００４２】
この結果、１セグメント放送または１２セグメント放送のうち、システム制御部２５の制御により選択された方の映像が、設定された表示解像度で画面に表示されることとなる。
【００４３】
以上のようなナビゲーション装置Ｓの動作におけるシステム制御部２５の選択制御処理について、以下に説明する。
【００４４】
図２は、本実施形態に係るシステム制御部２５の処理例を示すフローチャートである。
【００４５】
図２に示すように、システム制御部２５は、先ず、操作部２４から表示切り替えを示す指示信号が供給されたか否か、つまり、ユーザにより、テレビ映像またはナビゲーション映像のいずれか一方の表示、あるいは両映像の表示、及び表示方法等の切り替え操作が行われたか否かを判定する（ステップＳ１）。
【００４６】
ここで、表示切り替えを示す指示信号が供給された場合（ステップＳ１：ＹＥＳ）、システム制御部２５は、この指示信号に基づいて表示方法、表示解像度、表示位置等を決定し、これらの情報をＲＡＭに記憶するとともに、映像合成部１７に制御信号を出力することにより、ディスプレイ１９の画面に表示されるテレビ映像の表示解像度が変更される（ステップＳ２）。なお、図２の説明においては、ナビゲーション映像のみを表示する変更操作は行われないものとする。
【００４７】
次いで、システム制御部２５は、ＲＡＭに記憶されたテレビ映像の表示解像度が所定の閾値以下であるか否かを判定する（ステップＳ３）。この閾値は、例えば、１セグメント放送の最大解像度３２０×２４０に設定することができる（横解像度の閾値３２０、縦解像度の閾値２４０）。
【００４８】
ここで、表示解像度が閾値よりも大きい場合（ステップＳ３：ＮＯ）、システム制御部２５は、復調・復号部１２から供給された検出信号に基づいて放送信号の受信品質が良好であるか否か（例えば、検出信号が示す受信品質が所定の閾値よりも高いか否か等）を判定し（ステップＳ４）、受信品質が良好である場合は（ステップＳ４：ＹＥＳ）、１２セグメント放送の選択を示す制御信号をスイッチ部１６に出力し（ステップＳ５）、受信品質が良好でない場合は（ステップＳ４：ＮＯ）、１セグメント放送の選択を示す制御信号をスイッチ部１６に出力する（ステップＳ６）。一方、ステップＳ３において、表示解像度が閾値以下である場合（ステップＳ３：ＹＥＳ）、システム制御部２５は、１セグメント放送の選択を示す制御信号をスイッチ部１６に出力する（ステップＳ６）。
【００４９】
こうした処理により、システム制御部２５は、表示解像度がある程度大きい場合は、極力解像度の高い１２セグメント放送の映像が画面に表示されるように制御し、逆に表示解像度が小さい場合は、解像度の低い１セグメント放送の映像が画面に表示されるように制御する。表示解像度が小さければ１セグメント放送の映像を画面に表示しても、その映像の荒さは目立たない（特に表示解像度が、１セグメント放送の解像度３２０×２４０以下である場合は目立たない）。そこで、本実施形態においては、表示解像度が閾値以下である場合は、データ誤りに対する耐性が高い１セグメント放送を積極的に選択することにより、安定して映像を表示することができる。なお、ステップＳ３においては、閾値で判定するのではなく、例えば、表示方法（全画面表示、ＰｉｎＰ表示、２画面表示等）で判定しても良い。この場合、例えば、全画面表示のときは１２セグメント放送を選択し、ＰｉｎＰ表示（テレビ映像の表示解像度が小さいとき）や２画面表示のときは、全画面表示よりも表示解像度が小さいので、１セグメント放送を選択する。
【００５０】
次いで、システム制御部２５は、ユーザにより電源ＯＦＦ操作がされたか否か（操作部２４から電源ＯＦＦの指示を示す指示信号が供給されたか否か）を判定し（ステップＳ７）、電源ＯＦＦ操作がされていない場合は（ステップＳ７：ＮＯ）、ステップＳ１に遷移する。
【００５１】
ステップＳ１に移行後は、表示の切り替え操作が行われない限りＲＡＭに記憶されている表示解像度は変更されないので（ステップＳ１：ＮＯ）、システム制御部２５は、この表示解像度が閾値より大きい間は、放送信号の受信品質に基づいて１セグメント放送または１２セグメント放送を選択し、閾値以下である場合は、常に１セグメント放送を選択することとなる。そして、表示の切り替え操作が行われたら、また、変更された表示解像度に基づいて選択処理を実行する。
【００５２】
以上説明したように、本実施形態によれば、システム制御部２５が、地上デジタル放送の映像の画面上における表示解像度を変更するように制御したときに、その表示解像度に基づいて、受信された１セグメント放送または１２セグメント放送のいずれか一方を選択し、この選択された映像・音声データがスイッチ部１６により出力されて、ディスプレイ１９によりその映像が表示され、スピーカ２１により音声が出力されるようになっている。
【００５３】
従って、画面上における表示解像度に対応して１セグメント放送が選択されれば、その後は表示解像度が変更されない限り、１２セグメント放送は選択されないので、選択処理によって映像・音声データを安定して出力することが可能となるとともに、映像表示の頻繁な切り替えを防止することができる。
【００５４】
また、システム制御部２５は、表示解像度がある閾値以下のときは、解像度の低い１セグメント放送の映像・音声データが出力されるように選択し、表示解像度が閾値より大きいときは、極力解像度の高い１２セグメント放送の映像・音声データが出力されるように選択するので、１セグメント放送の映像を画面に表示する場合でもその映像の荒さが目立たない。しかも、１セグメント放送は１２セグメント放送よりもデータ誤りに対する耐性が高いので、表示解像度がある閾値以下の場合は安定して映像・音声を出力することができる。
【００５５】
従って、可能なときには極力画質の良い１２セグメント放送の映像・音声を出力しつつ、１２セグメント放送が受信できないような範囲に車両が移動した場合であっても、受信可能範囲の広い１セグメント放送を受信してその映像・音声を出力することができる。
【００５６】
なお、以上説明した実施形態においては、１セグメント放送用のデータも１２セグメント用のデータも、同じ種類（映像データ及び音声データを含む）のデータであったが、画像データ成分を含むのであれば、一部異なる種類のデータに適用しても良い（例えば、表示解像度が大きい場合は解像度の高いセグメントの映像データ及び音声データを出力し、表示解像度が小さい場合は、同一番組ではあるがデータ誤りに対する耐性が高いセグメントの映像データを出力する等）。
【００５７】
また、上記実施形態においては、１セグメント放送用と１２セグメント放送用の品質の異なる２つの映像・音声データの中から一方を出力する場合について説明したが、３つ以上のデータの中から一つのデータを出力するようにしても良い。
【００５８】
また、上記実施形態においては、データ品質の基準として映像の解像度やデータ誤りに対する耐性を適用したが、これらに限られるものではなく、例えば、映像の圧縮方式や圧縮率、フレームレート、発色数、データ転送速度等に適用しても良い。
【００５９】
また、上記実施形態においては、本願をナビゲーション装置に適用したが、例えば、地上デジタルテレビチューナー単体やチューナー内蔵のディスプレイ装置に適用しても良いし、ＰＤＡ（Personal Digital Assistant）、携帯電話機等といった携帯端末に適用しても良い。
【００６０】
また、上記実施形態においては、本願を地上デジタル放送に適用したが、例えば、他の種類の放送（有線及び無線を含む）に適用しても良いし、放送以外のデータ通信に適用しても良い。
【図面の簡単な説明】
【００６１】
【図１】本実施形態に係るナビゲーション装置Ｓの概要構成の一例を示す図である。
【図２】本実施形態に係るシステム制御部２５の処理例を示すフローチャートである。
【符号の説明】
【００６２】
１１  チューナー部
１２  復調・復号部
１３  分離部
１４  １セグメントデコーダ部
１５  １２セグメントデコーダ部
１６  スイッチ部
１７  映像合成部
１８  映像処理部
１９  ディスプレイ
２０  音声処理部
２１  スピーカ
２２  センサ部
２３  地図データ記憶部
２４  操作部
２５  システム制御部
Ｓ ナビゲーション装置
【図１】
2007221695.tif 000003
【図２】
2007221695.tif 000004